(57)【要約】【課題】  従来のアートメイク用カラーカップホルダーやカラートレイは、机や台等に置いて使う据え置き型で、色素をとる際の動作が大きくなり、手間や時間がかかるものであった。その為、施術時間が長くなり、施術者や依頼者に負担を課すものであった。【解決手段】  本発明は練状の色素用であり、カップホルダーやトレイをプラスチック状の小型なパレット型にすることにより、取り外し可能なゴムバンド等で手の甲に装着することができるものである。また、小さい山を形成した段差を設けることにより色素がこぼれるのを防げる。これにより、色素をとる際の動作を必要最小限にできるようにした。その為、施術時間を短縮することができ、施術者や依頼者の負担を軽くすることが可能になった。【選択図】図１
2009148351.tif 000002
【特許請求の範囲】
【請求項１】
アートメイク練状色素収納部を備えたプラスチック状の板の端部に切欠きを設け、該切欠きにゴムバンドを備えて、手の甲に装着可能としたことを特徴とするアートメイク練状色素用カラーパレット。
【請求項２】
前期収納部は、小さい複数の凹部又は凸部を形成した段差を設けたことを特徴とする請求項１記載のアートメイク練状色素用カラーパレット。
【発明の詳細な説明】
【技術分野】
【０００１】
本発明は、アートメイク施術の効率化を図った練状色素用カラーパレットに関する。
【背景技術】
【０００２】
まず、本発明に関するアートメイク用語について説明する。まず、アートメイクとは、色素を付けた針を皮膚に刺すことにより皮膚に着色していく特殊化粧技法のことである。そして、練状色素とは、主に手彫り施術で使用される練状の色素（カラークリーム）のことである。また、施術者とは、アートメイクを行う側の人で、依頼者とは、アートメイクを受ける側の人のことである。
【０００３】
従来のアートメイクで使用する色素（液状、練状のものがある）を入れておくための器具には、カラーカップホルダーやカラートレイがある（例えば、非特許文献１参照。）。
【０００４】
以下、図４、図５、図６により従来のカラーカップホルダーやカラートレイについて説明する。図４がカラーカップホルダー、図５がカラートレイ、図６が色素用カップである。
従来の使用法としては、まず図６色素用カップにアートメイク用色素を入れ、図４ホルダーの６、図５トレイの７の穴に色素用カップをはめ込み使用する。
【０００５】
通常、従来のホルダー、トレイは図４の８のように平たく形成されており、施術者は平らな机や台等に据え置いて使用する。
【非特許文献１】「ＬＡコーポレーション  世界のトップブランド美容商材カタログ  Vol.６」、ＬＡコーポレーション、p.１７
【発明の開示】
【発明が解決しようとする課題】
【０００６】
以上に述べた従来のカラーカップホルダーやカラートレイは、施術者の傍に置くものの色素を頻繁にとる為、使用頻度が多く、また据え置き型の為、色素をとる際の動作が大きくなり、時間や手間がかかり施術者や依頼者に負担を課すものであった。
【０００７】
本発明はこのような従来の構成が有していた問題を練状の色素専用に特化して問題を解決しようとするものであり、色素をとる動作を必要最小限に効率化し、施術時間を短くし、施術者や依頼者の負担を軽くすることを目的とするものである。
【課題を解決するための手段】
【０００８】
そして、本発明は上記目的を達成するために練状色素収納部を備えたプラスチック状の板の端部にゴムバンドを備え、施術者の手の甲に装着可能としたことを特徴とするパレット型のアートメイク練状色素用カラーパレットである。
【０００９】
また、第２の課題解決手段は、色素がこぼれ落ちないように小さい複数の凹部又は凸部を形成した段差を設けた練状色素収納部を備えた上記記載のアートメイク練状色素用カラーパレットである。
【００１０】
上記の課題解決手段による作用は次の通りである。すなわち、従来の据え置き型に対して、施術者の手の甲に装着するパレット型の為、色素をとる際の動作が短縮され、色素をとるという行動が非常に多いアートメイク施術において、施術過程が効率化され、施術時間を短くし、施術者や依頼者の負担を軽くすることができる。
【００１１】
また、第２の課題解決手段による作用は次の通りである。練状の色素の為こぼれ落ちる心配は殆ど無いが、小さい複数の凹部又は凸部を形成した段差の練状色素収納部を設けることにより色素が固定され、さらに効果を発揮する。
【発明の効果】
【００１２】
上述したように本発明のアートメイク練状色素用カラーパレットは、色素をとる際の動作が必要最小限に短縮され、施術時間を短くし、施術者や依頼者の負担を軽くするとともに、これにより、より良い施術効果を発揮できるものである。
【００１３】
また、本パレットは従来の絵画に使う様な、手に持って使用するタイプ（例えば特許文献１参照。）ではなく、手の甲に装着して使用するものなので、本パレット使用時も両手を自由に使用することができる。
【特許文献１】登録実用新案広報  第３０５７８９１号
【発明の実施するための最良の形態】
【００１４】
以下、本発明の実施の形態を図１〜図３に基づいて説明する。
【００１５】
図においては、図１は本パレットの全体図である。２はプラスチック状の板で、形態は縦５．５ｃｍ、横３．５ｃｍ、厚さ２ｍｍ程度が好ましい。４は伸縮するゴムバンドであり、男性、女性共に装着可能である。また、３のようにパレット端に切欠きを加えることによって、ゴムバンドの取り外しも可能である。
【００１６】
そして図２は本発明図１におけるＡ−Ａ線断面図であるが、５のように小さい段差を設け、この段差の内側を練状色素収納部とすることにより、色素がこぼれ落ちないように防ぐことができる。
【００１７】
図３は本発明の理想的な装着例であり、図３のようにパレットとゴムバンドの内側に手を通し、また施術者は利き手ではない方の手の甲に本パレットを装着する。
【００１８】
以下、上記一連の動作を説明する。まず、使い捨てアートメイク練状色素用カラーパレットを施術者は利き手ではない方の手の甲に、図３のように装着し、本パレットの練状色素収納部に練状の色素をいれ施術する。
これにより従来のカラーカップホルダーやカラートレイを使用して施術するより、効率的でスムーズな施術が可能である。これにより、施術者と依頼者の負担を軽くし、より良い施術効果が望める。
【図面の簡単な説明】
【００１９】
【図１】本発明パレットを斜め上方からみた外観図
【図２】同パレットの図１におけるＡ−Ａ線断面図
【図３】同発明パレットの装着例を斜め上方からみた図
【図４】従来のカラーカップホルダーを斜め上方からみた外観図
【図５】従来のカラーパレットを斜め上方からみた外観図
【図６】従来の色素用カップを斜め上方からみた外観図
【符号の説明】
【００２０】
１  アートメイク練状色素用カラーパレット
２  プラスチック状の板
３  ゴムバンド取り付け用切欠き
４  本パレット装着用ゴムバンド
５  色素をこぼさない為の段差
６  色素用カップをはめる穴
７  色素用カップをはめる穴
８  カラーカップホルダーの接地面
９  色素用カップ
【図１】
2009148351.tif 000003
【図２】
2009148351.tif 000004
【図３】
2009148351.tif 000005
【図４】
2009148351.tif 000006
【図５】
2009148351.tif 000007
【図６】
2009148351.tif 000008